【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
光源手段から出射した光束が入射する多面体偏向器と、該多面体偏向器で反射偏向された光束を被走査面上にスポットに形成する走査光学系と、を有する走査ユニットを複数有する光走査装置において、
該複数の走査ユニットのうち、２以上の走査ユニットは同一の多面体偏向器を併用しており、かつ該２以上の走査ユニットは該多面体偏向器の異なった偏向面で反射偏向した光束を用いており、
該２以上の走査ユニットの被走査面への主走査方向の画像書き出しタイミングは、各々該多面体偏向器の偏向面からの光束を１つの書き出し位置検知手段で検出し、該１つの書き出し位置検知手段からのＢＤ信号を用いて決定されており、
該ＢＤ信号の検出から該被走査面への画像書き出し開始までの時間は少なくとも２つの走査ユニットで異なることを特徴とする光走査装置。
【請求項２】
前記２以上の走査ユニットの各々の画像書き出しタイミングのうち１つは、該偏向面の面数が３のとき、回転方向に対して２面前の偏向面を介した光束を前記１つの書き出し位置検知手段で検出し、該１つの書き出し位置検知手段からのＢＤ信号を用いて決定されていることを特徴とする請求項1記載の光走査装置。
【請求項３】
前記２以上の走査ユニットは前記多面体偏向器の互いに対向しない偏向面で反射偏向した光束を用いており、
該２以上の走査ユニットの各々の画像書き出しタイミングのうち１つは、該偏向面の面数が４のとき、回転方向に対して３面前の偏向面を介した光束を前記１つの書き出し位置検知手段で検出し、該１つの書き出し位置検知手段からのＢＤ信号を用いて決定されていることを特徴とする請求項1記載の光走査装置。
【請求項４】
前記２以上の走査ユニットの各々の画像書き出しタイミングのうち１つは、該偏向面の面数が５のとき、回転方向に対して３面又は４面前の偏向面を介した光束を前記１つの書き出し位置検知手段で検出し、該１つの書き出し位置検知手段からのＢＤ信号を用いて決定されていることを特徴とする請求項1記載の光走査装置。
【請求項５】
前記２以上の走査ユニットは該多面体偏向器の互いに対向しない偏向面で反射偏向した光束を用いており、
該２以上の走査ユニットの各々の画像書き出しタイミングのうち１つは、該偏向面の面数が６のとき、回転方向に対して４面前の偏向面を介した光束を前記１つの書き出し位置検知手段で検出し、該１つの書き出し位置検知手段からのＢＤ信号を用いて決定されていることを特徴とする請求項1記載の光走査装置。
【請求項６】
前記２以上の走査ユニットは前記多面体偏向器の互いに対向しない偏向面で反射偏向した光束を用いており、
該２以上の走査ユニットの各々の画像書き出しタイミングのうち１つは、該偏向面の面数が８のとき、回転方向に対して６面前の偏向面を介した光束を前記１つの書き出し位置検知手段で検出し、該１つの書き出し位置検知手段からのＢＤ信号を用いて決定されていることを特徴とする請求項1記載の光走査装置。
【請求項７】
前記２以上の走査ユニットは前記多面体偏向器の回転軸に対して対向した偏向面で反射偏向した光束を用いており、
該２以上の走査ユニットの各々の画像書き出しタイミングのうち１つは、該偏向面の面数がＮ（Ｎは２以上の偶数）のとき、回転方向に対して（Ｎ−Ｎ／２）面前の偏向面を介した光束を前記１つの書き出し位置検知手段で検出し、該１つの書き出し位置検知手段からのＢＤ信号を用いて決定されていることを特徴とする請求項1記載の光走査装置。
【請求項８】
前記複数の走査ユニットは光束が前記多面体偏向器に対して互いに対向しない面に入射する２つ以上の走査ユニットを含んでいることを特徴とする請求項１乃至６のいずれか一項に記載の光走査装置。
【請求項９】
前記複数の走査ユニットは光束が前記多面体偏向器に対して、該多面体偏向器の回転軸に対して対向する面に入射する２つ以上の走査ユニットを含んでいることを特徴とする請求項１又は７に記載の光走査装置。
【請求項１０】
前記複数の走査ユニットの光源手段のうち、少なくとも２つは、同一基板上に配置されていることを特徴とする請求項１乃至９のいずれか一項に記載の光走査装置。
【請求項１１】
前記多面体偏向器の偏向面に入射する光束の主走査方向の光束幅は該偏向面の主走査方向の幅よりも広いことを特徴とする請求項１乃至１０のいずれか一項に記載の光走査装置。
【請求項１２】
前記被走査面の画像書き出しタイミング用の光束を検出する為の書き出し位置検知手段を有し、該書き出し位置検知手段は、同期検出素子を有し、該同期検出素子は少なくとも前記複数の走査ユニットのうちの光源手段と同一基板上に配置されていることを特徴とする請求項１乃至１１のいずれか一項に記載の光走査装置。
【請求項１３】
前記被走査面の画像書き出しタイミング用の光束を検出する為の書き出し位置検知手段を有し、前記多面体偏向器を介して前記書き出し位置検知手段へ向かう光束は、前記走査レンズ系を通過しないことを特徴とする請求項１乃至１１のいずれか一項に記載の光走査装置。
【請求項１４】
前記第２の光学素子は、プラスティックモールドにより成形されていることを特徴とする請求項１乃至１３のいずれか一項に記載の光走査装置。
【請求項１５】
請求項１乃至１４のいずれか一項に記載の光走査装置を複数有し、各々の光走査装置の被走査面に配置され、互いに異なった色の画像を形成する複数の像担持体とを有することを特徴とするカラー画像形成装置。
【請求項１６】
外部機器から入力した色信号を異なった色の画像データに変換して各々の光走査装置に入力せしめるプリンタコントローラを有していることを特徴とする請求項１５のカラー画像形成装置。
【請求項１７】
請求項１乃至１４の何れか１項の光走査装置を用いて、前記被走査面上に設けた感光ドラムに光束を導光することを特徴とするレーザービームプリンタ。
【手続補正２】
【補正対象書類名】明細書
【補正対象項目名】００１２
【補正方法】変更
【補正の内容】
【００１２】
【課題を解決するための手段】
請求項１の発明の光走査装置は、光源手段から出射した光束が入射する多面体偏向器と、該多面体偏向器で反射偏向された光束を被走査面上にスポットに形成する走査光学系と、を有する走査ユニットを複数有する光走査装置において、
該複数の走査ユニットのうち、２以上の走査ユニットは同一の多面体偏向器を併用しており、かつ該２以上の走査ユニットは該多面体偏向器の異なった偏向面で反射偏向した光束を用いており、
該２以上の走査ユニットの被走査面への主走査方向の画像書き出しタイミングは、各々該多面体偏向器の偏向面からの光束を１つの書き出し位置検知手段で検出し、該１つの書き出し位置検知手段からのＢＤ信号を用いて決定されており、
該ＢＤ信号の検出から該被走査面への画像書き出し開始までの時間は少なくとも２つの走査ユニットで異なることを特徴としている。
【手続補正３】
【補正対象書類名】明細書
【補正対象項目名】００１３
【補正方法】変更
【補正の内容】
【００１３】
請求項２の発明は請求項１の発明において、前記２以上の走査ユニットの各々の画像書き出しタイミングのうち１つは、該偏向面の面数が３のとき、回転方向に対して２面前の偏向面を介した光束を前記１つの書き出し位置検知手段で検出し、該１つの書き出し位置検知手段からのＢＤ信号を用いて決定されていることを特徴としている。
【手続補正４】
【補正対象書類名】明細書
【補正対象項目名】００１４
【補正方法】変更
【補正の内容】
【００１４】
請求項３の発明は請求項１の発明において、前記２以上の走査ユニットは前記多面体偏向器の互いに対向しない偏向面で反射偏向した光束を用いており、
該２以上の走査ユニットの各々の画像書き出しタイミングのうち１つは、該偏向面の面数が４のとき、回転方向に対して３面前の偏向面を介した光束を前記１つの書き出し位置検知手段で検出し、該１つの書き出し位置検知手段からのＢＤ信号を用いて決定されていることを特徴としている。
【手続補正５】
【補正対象書類名】明細書
【補正対象項目名】００１５
【補正方法】変更
【補正の内容】
【００１５】
請求項４の発明は請求項１の発明において、前記２以上の走査ユニットの各々の画像書き出しタイミングのうち１つは、該偏向面の面数が５のとき、回転方向に対して３面又は４面前の偏向面を介した光束を前記１つの書き出し位置検知手段で検出し、該１つの書き出し位置検知手段からのＢＤ信号を用いて決定されていることを特徴としている。
【手続補正６】
【補正対象書類名】明細書
【補正対象項目名】００１６
【補正方法】変更
【補正の内容】
【００１６】
請求項５の発明は請求項１の発明において、前記２以上の走査ユニットは該多面体偏向器の互いに対向しない偏向面で反射偏向した光束を用いており、
該２以上の走査ユニットの各々の画像書き出しタイミングのうち１つは、該偏向面の面数が６のとき、回転方向に対して４面前の偏向面を介した光束を前記１つの書き出し位置検知手段で検出し、該１つの書き出し位置検知手段からのＢＤ信号を用いて決定されていることを特徴としている。
【手続補正７】
【補正対象書類名】明細書
【補正対象項目名】００１７
【補正方法】変更
【補正の内容】
【００１７】
請求項６の発明は請求項１の発明において、前記２以上の走査ユニットは前記多面体偏向器の互いに対向しない偏向面で反射偏向した光束を用いており、
該２以上の走査ユニットの各々の画像書き出しタイミングのうち１つは、該偏向面の面数が８のとき、回転方向に対して６面前の偏向面を介した光束を前記１つの書き出し位置検知手段で検出し、該１つの書き出し位置検知手段からのＢＤ信号を用いて決定されていることを特徴としている。
【手続補正８】
【補正対象書類名】明細書
【補正対象項目名】００１８
【補正方法】変更
【補正の内容】
【００１８】
請求項７の発明は請求項１の発明において、前記２以上の走査ユニットは前記多面体偏向器の回転軸に対して対向した偏向面で反射偏向した光束を用いており、
該２以上の走査ユニットの各々の画像書き出しタイミングのうち１つは、該偏向面の面数がＮ（Ｎは２以上の偶数）のとき、回転方向に対して（Ｎ−Ｎ／２）面前の偏向面を介した光束を前記１つの書き出し位置検知手段で検出し、該１つの書き出し位置検知手段からのＢＤ信号を用いて決定されていることを特徴としている。
【手続補正９】
【補正対象書類名】明細書
【補正対象項目名】００１９
【補正方法】変更
【補正の内容】
【００１９】
請求項８の発明は請求項１乃至６のいずれか１項の発明において、前記複数の走査ユニットは光束が前記多面体偏向器に対して互いに対向しない面に入射する２つ以上の走査ユニットを含んでいることを特徴としている。
【手続補正１０】
【補正対象書類名】明細書
【補正対象項目名】００２０
【補正方法】変更
【補正の内容】
【００２０】
請求項９の発明は請求項１乃至７のいずれか１項の発明において、前記複数の走査ユニットは光束が前記多面体偏向器に対して、該多面体偏向器の回転軸に対して対向する面に入射する２つ以上の走査ユニットを含んでいることを特徴としている。
【手続補正１１】
【補正対象書類名】明細書
【補正対象項目名】００２１
【補正方法】変更
【補正の内容】
【００２１】
請求項１０の発明は請求項１乃至９のいずれか１項の発明において、前記複数の走査ユニットの光源手段のうち、少なくとも２つは、同一基板上に配置されていることを特徴としている。
【手続補正１２】
【補正対象書類名】明細書
【補正対象項目名】００２２
【補正方法】変更
【補正の内容】
【００２２】
請求項１１の発明は請求項１乃至１０のいずれか１項の発明において、前記多面体偏向器の偏向面に入射する光束の主走査方向の光束幅は該偏向面の主走査方向の幅よりも広いことを特徴としている。
【手続補正１３】
【補正対象書類名】明細書
【補正対象項目名】００２３
【補正方法】変更
【補正の内容】
【００２３】
請求項１２の発明は請求項１乃至１１のいずれか１項の発明において、前記被走査面の画像書き出しタイミング用の光束を検出する為の書き出し位置検知手段を有し、該書き出し位置検知手段は、同期検出素子を有し、該同期検出素子は少なくとも前記複数の走査ユニットのうちの光源手段と同一基板上に配置されていることを特徴としている。
【手続補正１４】
【補正対象書類名】明細書
【補正対象項目名】００２４
【補正方法】変更
【補正の内容】
【００２４】
請求項１３の発明は請求項１乃至１１のいずれか１項の発明において、前記被走査面の画像書き出しタイミング用の光束を検出する為の書き出し位置検知手段を有し、前記多面体偏向器を介して前記書き出し位置検知手段へ向かう光束は、前記走査レンズ系を通過しないことを特徴としている。
【手続補正１５】
【補正対象書類名】明細書
【補正対象項目名】００２５
【補正方法】変更
【補正の内容】
【００２５】
請求項１４の発明は請求項１乃至１３のいずれか１項の発明において、前記第２の光学素子は、プラスティックモールドにより成形されていることを特徴としている。
【手続補正１６】
【補正対象書類名】明細書
【補正対象項目名】００２６
【補正方法】変更
【補正の内容】
【００２６】
請求項１５の発明のカラー画像形成装置は、請求項１乃至１４のいずれか一項に記載の光走査装置を複数有し、各々の光走査装置の被走査面に配置され、互いに異なった色の画像を形成する複数の像担持体とを有することを特徴としている。
【手続補正１７】
【補正対象書類名】明細書
【補正対象項目名】００２７
【補正方法】変更
【補正の内容】
【００２７】
請求項１６の発明は請求項１５の発明において、外部機器から入力した色信号を異なった色の画像データに変換して各々の光走査装置に入力せしめるプリンタコントローラを有していることを特徴としている。
【手続補正１８】
【補正対象書類名】明細書
【補正対象項目名】００２８
【補正方法】変更
【補正の内容】
【００２８】
請求項１７の発明のレーザービームプリンタは、カラー画像形成装置は、請求項１乃至１４の何れか１項の光走査装置を用いて、前記被走査面上に設けた感光ドラムに光束を導光することを特徴としている。